(57)【要約】【課題】安価なコストで設置でき、死角を少なくすることができる侵入監視システムを提供する。【解決手段】侵入監視システム１は、敷地１０１内に建設される住宅１００の角部１０５に設置され、当該敷地１０１の角方向を撮影する防犯カメラ３と、前記敷地１０１の角に設置され、当該敷地１０１の一方の境界線方向からの映像を前記防犯カメラ３に反射させる第１の鏡面２１と、前記敷地の他方の境界線方向からの映像を前記防犯カメラ３に反射させる第２の鏡面２２との少なくとも２面の鏡面を有する反射鏡２と、前記防犯カメラ３が撮影した映像を記録するＨＤＤ４３と、を備える。【選択図】図１
2009252151.tif 000002
【特許請求の範囲】
【請求項１】
建物敷地内に建設される建物の角部に設置され、当該敷地の角方向を撮影する防犯カメラと、
前記敷地の角に設置され、当該敷地の一方の境界線方向の映像を前記防犯カメラに反射させる第１の鏡面と、前記敷地の他方の境界線方向の映像を前記防犯カメラに反射させる第２の鏡面との少なくとも２面の鏡面を有する反射鏡と、
前記防犯カメラが撮影した映像を記録する記録装置と、を備えることを特徴とする侵入監視システム。
【請求項２】
前記敷地の一方の境界線側への侵入を検知する第１センサと、前記敷地の他方の境界線側への侵入を検知する第２センサと、を更に備え、
前記防犯カメラは、前記第１センサにより侵入を検知した場合は、前記第１の鏡面に反射される映像を撮影し、前記第２センサにより侵入を検知した場合は、前記第２の鏡面に反射される映像を撮影することを特徴とする請求項１に記載の侵入監視システム。
【請求項３】
前記防犯カメラが設置される前記角部は、前記建物の軒裏の建物外壁側であって、前記反射鏡が設置される前記敷地の角は、前記建物の軒裏の先端側であることを特徴とする請求項１又は請求項２に記載の侵入監視システム。
【請求項４】
前記建物は住宅であって、
請求項１から請求項３のいずれかの侵入監視システムを備えることを特徴とする住宅。
【発明の詳細な説明】
【技術分野】
【０００１】
この発明は、住宅等の建物の敷地内への不正侵入を監視する侵入監視システム、及び当該侵入監視システムを備えた住宅に関する。
【背景技術】
【０００２】
近年、凶悪犯罪の増加等による住宅へのセキュリティーに対する意識の高まりから、住宅外周に設置する様々な防犯装置が広く普及している。このような防犯装置の一例として、例えばデジタル式防犯カメラと人体感知センサとからなる撮影ユニットを所望の箇所に取付けて住宅の敷地内への不正侵入を監視する侵入監視システムが提案されている（例えば特許文献１参照）。
【０００３】
このような侵入監視システムを用いると、人体感知センサにより不正な侵入を検出し、侵入が検出された場合にのみ防犯カメラにより撮影するので、敷地内の任意の領域を常に撮影し続ける場合に比べて、画像を保存する記録装置の容量を小さくすることができ、又、画像を表示して確認する場合にも負担を軽減することができる。
【０００４】
ところで、上述のような侵入監視システムを用いた場合にも、建物等により防犯カメラの死角が生じるので、不正侵入を試みる者がこのような死角に入った場合には、監視することができない。そこで図８に示すように、住宅１００の敷地１０１の周縁に設けらた塀１０２の上縁部に沿って設置されたレール１０３と、該レール１０３に沿って移動可能で駆動部と監視カメラ部と人体検出部とを有するカメラユニット１０４と、を備える侵入監視システムが提案されている（例えば特許文献２参照）。この発明によると、建物のフェンスに沿ってカメラユニット１０４を移動させるので、敷地１０１内を隈なく監視することができる。
【特許文献１】特開２００２−３４４９５３号公報
【特許文献２】特開２００５−２１０２６３号公報
【発明の開示】
【発明が解決しようとする課題】
【０００５】
しかし、上述のような侵入監視システムは、住宅１００の敷地１０１を囲む塀１０２全体にレール１０３を設置し、且つカメラユニット１０４を駆動するための駆動部を設けるものであるので、従来のものに比べて設置コストが大きくなるとともに、屋外を自走するので耐用期間が短くなり、高い頻度でメンテナンスを必要とする。また、駆動部を制御する必要があるので、制御が複雑なものとなりやすい。さらに、塀１０２の付近に設置された植栽等によっては、死角となる領域が発生する虞もある。
【０００６】
そこで本発明は安価なコストで設置でき、死角を少なくすることができる侵入監視システムを提供することを目的とする。
【課題を解決するための手段】
【０００７】
上記目的を達成するために、請求項１記載の侵入監視システムは、建物敷地内に建設される建物の角部に設置され、当該敷地の角方向を撮影する防犯カメラと、前記敷地の角に設置され、当該敷地の一方の境界線方向の映像を前記防犯カメラに反射させる第１の鏡面と、前記敷地の他方の境界線方向の映像を前記防犯カメラに反射させる第２の鏡面との少なくとも２面の鏡面を有する反射鏡と、前記防犯カメラが撮影した映像を記録する記録装置と、を備えることを特徴としている。
【０００８】
請求項２記載の侵入監視システムは、前記敷地の一方の境界線側への侵入を検知する第１センサと、前記敷地の他方の境界線側への侵入を検知する第２センサと、を更に備え、前記防犯カメラは、前記第１センサにより侵入を検知した場合は、前記第１の鏡面に反射される映像を撮影し、前記第２センサにより侵入を検知した場合は、前記第２の鏡面に反射される映像を撮影することを特徴としている。
【０００９】
請求項３記載の侵入監視システムは、前記防犯カメラが設置される前記角部は、前記建物の軒裏の建物外壁側であって、前記反射鏡が設置される前記敷地の角は、前記建物の軒裏の先端側であることを特徴としている。
【００１０】
請求項４記載の住宅は、前記建物は住宅であって、請求項１から請求項３のいずれかの侵入監視システムを備えることを特徴とするものである。
【発明の効果】
【００１１】
請求項１に記載の侵入監視システムによると、敷地内に建設される建物の角部に設置され、当該敷地の角方向を撮影する防犯カメラと、前記敷地の角部に設置され、当該敷地の一方の境界線方向からの映像を前記防犯カメラに反射させる第１の鏡面と、前記敷地の他方の境界線方向からの映像を前記防犯カメラに反射させる第２の鏡面との少なくとも２面の鏡面を有する反射鏡と、を備えているので、第１の鏡面に映りこんだ敷地の一方の境界線方向からの映像と第２の鏡面に映りこんだ敷地の他方の境界線方向からの映像とを防犯カメラにより撮影することができる。したがって、防犯カメラには、第１の鏡面及び第２の鏡面が同時に映りこむこととなり、第１の鏡面及び第２の鏡面に映った敷地の一方の境界方向及び他方の境界方向を同時に又は選択して撮影することができる。このように反射鏡を用いることで、１台の防犯カメラを動かすことなく２方向を撮影することができ、建物によって死角が生じることを抑制することができるとともに、防犯カメラを２台用いて監視する場合に比べて安価に構成することができる。
【００１２】
請求項２に記載の侵入監視システムによると、敷地の一方境界線側への侵入を検知する第１センサと、敷地の他方境界線側への侵入を検知する第２センサと、を更に備え、防犯カメラは、第１センサにより侵入を検知した場合は、第１の鏡面に映る映像を撮影し、第２センサにより侵入を検知した場合は、第２の鏡面に映る映像を撮影するので、敷地の一方境界線側への侵入があった場合には第１の鏡面に映る映像を撮影することができ、敷地の他辺方向への侵入があった場合には第２の鏡面に映る映像を撮影することができる。したがって、侵入があったときに、侵入があった方向からの映像のみを記録装置に記録することができるので、記録する映像を少なくすることができ、記録装置の記録容量を小さくすることができる。また、記録する映像が少ないので、不正な侵入が無いか確認する作業を行う場合に、確認する必要がある映像の量を少なくすることとなり、容易に適切な映像を確認することができる。
【００１３】
請求項３記載の侵入監視システムは、防犯カメラ及び反射鏡が高い位置にある軒裏に設置されるので、敷地に高木などがある場合にも、遮蔽されずに敷地を撮影することができる。また、高い位置に防犯カメラ及び反射鏡を配置することで、侵入者に防犯カメラ及び反射鏡を破壊されることを抑制することができる。更に、このように軒裏に設置することで、防犯カメラ及び反射鏡を目立たなくすることができ、建物の美観を損ねることがない。また、防犯カメラ及び反射鏡が軒裏に設けられているので、防犯カメラ及び反射鏡を降雨や直射日光から守ることができ、装置の汚れや故障を防ぐことができる。
【００１４】
請求項４記載の住宅は、請求項１から請求項３に記載の侵入監視システムを備えるので、上述の請求項１から請求項３の効果を奏するとともに、不正侵入の有無を簡単に確認をすることができ、居住者がより安心して居住することができる。
【発明を実施するための最良の形態】
【００１５】
この発明における侵入監視システム１の最良の実施形態について、以下に図面を参照しつつ説明する。まず、侵入監視システム１の構成について説明する。侵入監視システム１は、図１及び図２に示すように、２面の鏡面２１、２２を備え、住宅１００の軒１０６の角の先端１０６ａに設置される反射鏡２と、この反射鏡２を撮影する住宅１００の角部１０５の外壁側の軒裏１０６ｂに設置される防犯カメラ３と、この防犯カメラ３の動作を制御し、防犯カメラ３が撮影した画像を記録する処理をおこなう情報処理装置４と、住宅１００の敷地１０１の一辺方向の領域への侵入を検知する第１センサ５と、他辺方向の領域への侵入を検知する第２センサ６と、を備える。
【００１６】
反射鏡２は、図１、図３、及び図４に示すように、住宅１００の敷地１０１の一方の境界方向からの映像を防犯カメラ３に反射させる第１の鏡面２１と、住宅１００の敷地１０１の他方の境界方向からの映像を防犯カメラ３に反射させる第２の鏡面２２と、住宅１００の軒１０６の角の先端１０６ａに固定され、これらの２面の鏡面２１、２２を支持する支持アーム２３と、を具備する。支持アーム２３は、軒裏１０６ｂに貼り付けられた軒天井板１０６ｃの先端部分に、例えば図示しない螺子などで螺着されている。指示アーム２３の中間には例えば自在継ぎ手により折曲自在な可動部２４を有しており、可動部２４の折曲角度を調整することで鏡面２１、２２の角度を調整できる構成であり、２面の鏡面２１、２２がやや下方に傾くように調整されている。２面の鏡面２１、２２は、当接する端縁が例えば図示しない蝶番により連結されており、この蝶番により互いの折曲角度を調整することができるものである。
【００１７】
防犯カメラ３は、その撮影方向が２面の鏡面２１、２２と向き合うように住宅１００の角部１０５の軒裏１０６ｂに設置されたデジタルカメラであり、第１の鏡面２１に映る映像及び第２の鏡面２２に映る映像にそれぞれズームアップすることができる光学ズーム機能を有するものである。なお本実施形態においては、防犯カメラ３を、防犯カメラ内に備わる図示しないレンズ及び鏡の動作により光学的にズームアップする構成としたが、これに限定されるものではなく、防犯カメラ３が一旦、第１の鏡面２１及び第２の鏡面２２を含む領域を撮影し、その後に、第１の鏡面２１又は第２の鏡面２２のいずれかが映る部分を切り取って拡大する画像処理を行う構成であってもよい。また、この防犯カメラ３は、図２及び図３に示すように、住宅１００内部に設置された情報処理装置４に接続されるＬＡＮケーブル７、及び住宅１００内のコンセントから繋がる電源コード８に接続されており、電力の供給を受け入れるとともに、情報処理装置４に対して撮影した画像データを送信している。
【００１８】
情報処理装置４は、図２に示すように、ＣＰＵ（Central Processing Unit）４１、ＲＡＭ（Random Access Memory）４２、記録装置としてのＨＤＤ（Hard Disk Drive）４３、インターフェース４４、モニタ４５、操作部４６、第１センサ用ポート４７、及び第２センサ用ポート４８を備え、それぞれをバス４９によって接続している。この情報処理装置４としては、例えば汎用のＰＣを用いることもでき、又は、本侵入監視システム１に専用の装置を住宅内に備え付けることもできる。ＣＰＵ４１は、ＨＤＤ４３に記憶されているプログラムにしたがって、各部の動作を制御するとともに、防犯カメラ３に対してその動作を制御するコマンドを送信する。ＲＡＭ４２は、ＣＰＵ４１により処理される情報を読み込み書き出し可能な状態で保存するものである。ＨＤＤ４３は、ＣＰＵ４１の各種動作プログラムを記憶するほかに、所定の領域に防犯カメラ３から受信する映像を記録する。このように本実施形態においては、防犯カメラ３から受信する映像は、ＨＤＤ４３に記録されるが、本発明の記録装置はこれに限定されるものではなく、例えば図示しないが情報処理装置４が備える各種ドライバにより制御されるＤＶＤ（Digital Versatile Disk）やフラッシュメモリ（flash memory）等の可搬型記憶媒体を用いるものであってもよい。この他、電磁的又は光学的に映像を記録することができる種々の記録装置を適用することができる。
【００１９】
インターフェース４４は、ＬＡＮケーブル７を介して自装置４と防犯カメラ３とを相互に接続するものである。なお、このように本実施形態においては防犯カメラ３と情報処理装置４との間をＬＡＮケーブル７により有線で接続する構成としたが、防犯カメラ３と情報処理装置４との間を無線で接続する構成であってもよい。モニタ４５は、画像データを映像として表示可能な例えば液晶ディスプレイ装置であって、防犯カメラ３が撮影した画像データを表示する。操作部４６は、例えばキーボード及びマウスであって、侵入監視システム１の起動及び終了や、画像データを表示する指示の受付を行う。第１センサ用ポート４７は、第１センサ５からの侵入検知信号の入力を受け付け、第２センサ用ポート４８は第２センサ６からの侵入検知信号の入力を受け付ける。
【００２０】
第１センサ５は、図１に示すように、防犯カメラ３及び反射鏡２が設置された住宅１００の角部１０５からみて、一方の壁面１０７に設置され、この一方の壁面１０７と敷地１０１の境界線に設けられている塀１０２との間に向かって赤外線を発射し、反射される赤外線を所定感度で受信することで侵入者を検知する赤外線能動センサである。すなわち、壁面１０７と塀１０２との間に侵入者があると、第１センサ５から発射された赤外線が当該侵入者に当って反射し、その赤外線を受信することで、侵入者を検知できるものである。また、この第１センサ５は、反射された赤外線を受信するとその旨の信号を生成し、ケーブル９を介して情報処理装置４にその信号を送信するものである。なお、本発明の第１センサ５はこれに限定されるものではなく、例えば侵入者が発する赤外線を第１センサ５が受信する赤外線受動センサを用いても良く、また、一定領域に動物や人間が侵入したことを検知可能なセンサであれば赤外線センサに限定されるものではない。
【００２１】
また、第２センサ６は、防犯カメラ３及び反射鏡２が設置された建物の角から見て、第１センサ５が設置された壁面１０７とは異なる他方の壁面１０８に設置され、塀１０２との間に向かって赤外線を発射し、反射した赤外線を所定感度で受信するセンサであり、その構成は第１センサ５と同様のものである。
【００２２】
なお、上述のように赤外線能動センサなどの物理的な構成としての第１センサ５及び第２センサ６を用いることで、極めて簡単な構成で侵入があったときのみ撮影することができる侵入監視システム１とすることができるが、本発明の実施形態はこのような物理的なセンサに限定されるものではなく、情報処理装置４のＣＰＵ４１が第１のセンサ５及び第２のセンサ６の役割を果たすものであっても良い。例えば防犯カメラ３が撮影した映像を情報処理装置４が分析して不正な侵入を検知する構成とすることができる。すなわち、防犯カメラ３が撮影した映像に侵入を示す特定パターンがあるか否か情報処理装置４が判断し、特定パターンがある場合には当該特定パターンが撮影された第１の鏡面２１または第２の鏡面をズームアップして鏡面２１、２２に映った映像を撮影し、ＨＤＤ４３に記録する構成としても良い。
【００２３】
以上のように構成される侵入監視システム１において、第１センサ５又は第２センサ６からの侵入検知信号に基づいて、主に情報処理装置４のＣＰＵ４１及び防犯カメラ３が行う処理の一例について、図５を参照しつつ説明する。情報処理装置４では、所定間隔毎に定常的にこの処理を実行している。
【００２４】
まずＣＰＵ４１は、第１センサ５から侵入検知信号を受信したか否か判断する（Ｓ２０１）。すなわち、住宅１００の一方の外壁１０７と敷地１０１の境界線上に設置された塀１０２との間の領域に侵入者があると、この侵入者から発せられる赤外線を第１センサ５が受信し、受信した情報に基づいて侵入検知信号を生成し、ケーブル９を介して情報処理装置４に送信する。ＣＰＵ４１は、この侵入検知信号の受信があったか否か判断する。
【００２５】
ＣＰＵ４１が第１センサ５から侵入検知信号を受信したと判断すると（Ｓ２０１：ＹＥＳ）、次にＣＰＵ４１は、防犯カメラ３に対して第１の鏡面２１に映る映像をズームアップして撮影する旨のコマンドを送信する（Ｓ２０２）。すなわち、ＣＰＵ４１は防犯カメラ３に対して上記のコマンドを生成し、ＬＡＮケーブル７を介して、防犯カメラ３にこのコマンドを送信する処理を行う。防犯カメラ３は第１の鏡面２１に映る映像をズームアップして撮影する旨のコマンドを受信すると、内部の図示しないレンズや鏡を動作させて第１の鏡面２１に映る映像をズームアップし、例えば１秒間隔で映像を撮影し（Ｓ２０３）、撮影した映像を所定のファイル形式の画像データに変換して、ＬＡＮケーブル７を介して情報処理装置４に送信する（Ｓ２０４）。
【００２６】
一方、ステップＳ２０１において、第１センサ５から侵入検知信号を受信していないと判断すると、第２センサ６から侵入検知信号を受信したか否か判断する（Ｓ２０５）。すなわち、住宅１００の他方の外壁１０８と敷地１０１の周縁に設置された塀１０２との間の領域に侵入者があると、この侵入者から発せられる赤外線を第２センサ６が受信し、受信した情報に基づいて侵入検知信号を生成し、ケーブル９を介して情報処理装置４に送信する。ＣＰＵ４１は、この第２センサ６からの侵入検知信号の受信があったか否か判断する。
【００２７】
ＣＰＵ４１が第２センサ６から侵入検知信号を受信したと判断すると（Ｓ２０５：ＹＥＳ）、次にＣＰＵ４１は、防犯カメラ３に対して第２の鏡面２２に映る映像をズームアップして撮影する旨のコマンドを送信する（Ｓ２０６）。すなわち、ＣＰＵ４１は防犯カメラ３に対して上記のコマンドを生成し、ＬＡＮケーブル７を介して、防犯カメラ３にこのコマンドを送信する処理を行う。防犯カメラ３は第２の鏡面２２に映る映像をズームアップして撮影する旨のコマンドを受信すると、第２の鏡面２２に映る映像をズームアップし、例えば１秒間隔で映像を撮影し（Ｓ２０７）、所定のファイル形式の画像データに変換して、ＬＡＮケーブル７を介して情報処理装置４に送信する（Ｓ２０８）。一方、ステップＳ２０５において、第２センサ６から侵入検知信号を受信していないと判断すると（Ｓ２０５：ＮＯ）、すなわち、第１センサ５及び第２センサ６のいずれからも侵入検知信号を受信していない場合は、そのまま、このルーチンを終了する。
【００２８】
ＣＰＵ４１は、ステップＳ２０２又はステップＳ２０６において、コマンドを送信すると、次に画像データの受信があったか否か判断する（Ｓ２０９）。すなわち、防犯カメラ３が第１の鏡面２１又は第２の鏡面２２を撮影し（Ｓ２０３又はＳ２０７）、その映像を所定のファイル形式の画像データとして情報処理装置４に対して送信し（Ｓ２０４又はＳ２０８）、当該画像データを情報処理装置４が受信したか否か判断する（Ｓ２０９）。画像データを情報処理装置４が受信していないと判断すると（Ｓ２０９：ＮＯ）、ＣＰＵ４１は画像データを受信するまで待機する。一方、画像データを受信したと判断すると（Ｓ２０９：ＹＥＳ）、撮影された画像データをＨＤＤ４３に保存する処理を行い（Ｓ２１０）、このルーチンを終了する。
【００２９】
なお、前述の通り、撮影された画像データの保存は、ＨＤＤ４３に限定されるものではなく、ＤＶＤ（Digital Versatile Disk）やフラッシュメモリ（flash memory）等の可搬型記憶媒体及びその他の種々の記録装置に保存するものであってもよい。また、撮影された画像データはＨＤＤ４３等の記録装置に保存するとともに、モニタ４５に表示する処理を行ってもよく、例えば、情報処理装置４が図示しないスピーカを備えるものであって、モニタ４５に表示するとともに警告音を発するものであってもよい。
【００３０】
以上のように、本実施形態の侵入監視システム１は、図１及び図６に示すように、第１センサ５が住宅１００の一方の外壁１０７に設けられており、この外壁１０７と境界線に設けられた塀１０２との間への侵入者を検知することができ、第１センサ５により侵入者が検知されると、防犯カメラ３が第１の鏡面２１を撮影することにより、侵入者の映像を撮影することができる。また、住宅１００の他方の外壁１０８に設けられた第２センサ６が侵入者を検知した場合も同様に、防犯カメラ３が第２の鏡面２２を撮影することにより、侵入者の映像を撮影することができる。このように、本侵入監視システム１は、１台の防犯カメラ３を用いて住宅１００の敷地１０１の一方の境界線方向への侵入と他方の境界線方向への侵入との両方を監視することができる。
【００３１】
また、防犯カメラ３は第１センサ５及び第２センサ６により侵入が検知された場合に撮影する構成であるので、記録装置としてのＨＤＤ４３に保存する画像ファイルの容量を少なくすることができ、不正な侵入が無いか確認する作業を行う場合に、表示する映像が少なくて済み、容易に適切な映像を容易に確認することができる。
【００３２】
また、このように構成される防犯カメラ３及び反射鏡２が、住宅１００の軒裏１０６ｂに設置されることで、降雨や直射日光から機器を保護することができるとともに、軒裏１０６ｂは高い位置にあるので、敷地１０１内に高木１０９等の遮蔽物がある場合にも死角を少なくすることができる。
【００３３】
なお、上述のように、防犯カメラ３及び反射鏡２を住宅１００の軒裏１０６ｂに設置することで、顕著な効果を奏するものであるが、反射鏡２の設置位置は住宅１００の軒１０６の角の先端１０６ａに限定されるものではない。例えば、図７に示すように、敷地１０１の角に設けられたポール１１０に反射鏡２を設置する構成であってもよい。このように構成しても、敷地１０１の一方の境界方向からの映像と敷地の他方の境界方向からの映像とを反射鏡２により１台の防犯カメラ３に向けて反射させることで、１台の防犯カメラ３を使用して２方向を監視することができる。
【００３４】
なお、本発明の実施の形態は上述の形態に限ることなく、本発明の思想の範囲を逸脱しない範囲で適宜変更することができることは云うまでもない。
【００３５】
本実施形態においては、侵入監視システム１を戸建住宅に設けたが、本発明はこれに限定されるものではなく、例えばアパートマンション等の集合住宅に侵入監視システム１を設けるものであっても良い。また、戸建住宅や集合住宅などの人が居住する住宅に侵入監視システムを設置することで、安心して居住することができる建物とすることができるものであるが、本発明の実施形態はこれに限定されるものではなく、住宅以外の建物においても、敷地の角がら２方向を監視する侵入監視システムとして用いることができる。
【産業上の利用可能性】
【００３６】
本発明に係る侵入監視システム１は、主に住宅１００等の建物への不正侵入を監視する侵入監視システム１として好適に用いることができる。
【図面の簡単な説明】
【００３７】
【図１】侵入監視システムを適用した住宅を上方からみた平面図。
【図２】侵入監視システムの電気的構成を示すブロック図。
【図３】反射鏡及び防犯カメラの構成を説明する住宅の軒の角を切断した断面図。
【図４】反射鏡及び防犯カメラを下方から見た図。
【図５】敷地内に侵入者があった場合の情報処理装置のＣＰＵ４１及び防犯カメラにおける情報処理の一例を示すフローチャート。
【図６】防犯カメラが反射鏡を撮影する状態を示す図。
【図７】反射鏡を敷地の角に設けたポールに設置した状態を示す図。
【図８】従来の侵入監視システムの一例を示す図。
【符号の説明】
【００３８】
１        侵入監視システム
２        反射鏡
３        防犯カメラ
５        第１センサ
６        第２センサ
２１      第１の鏡面
２２      第２の鏡面
４３      ＨＤＤ（記録装置)
１００    住宅（建物)
１０１    敷地
１０５    角部
１０６    軒
１０６ａ  先端
１０６ｂ  軒裏
【図１】
2009252151.tif 000003
【図２】
2009252151.tif 000004
【図３】
2009252151.tif 000005
【図４】
2009252151.tif 000006
【図５】
2009252151.tif 000007
【図６】
2009252151.tif 000008
【図７】
2009252151.tif 000009
【図８】
2009252151.tif 000010